(57)【要約】【課題】特賞回数の表示に関する利便性を向上させる。【解決手段】情報通信網１１に接続されたウェブサーバ１２と、情報通信網１１に接続可能とされ、遊技場１３に設置される表示装置１４と、を備える。ウェブサーバ１２は、情報通信網１１を介して、遊技場１３に設置された遊技機の特賞回数情報を収集するとともに、遊技場１３に設置された遊技機のうち、指定された複数の遊技機からなるグループを特定する。そして、収集した特賞回数情報と、特定したグループとに基づいて、当該グループにおける特賞回数の合計を算出する。表示装置１４は、ウェブサーバ１２によって算出された特賞回数の合計を表示する。【選択図】      図１
2018175171.tif 000002
【特許請求の範囲】
【請求項１】
遊技場に設置された遊技機の特賞回数を表示する特賞回数表示システムであって、
情報通信網に接続されたウェブサーバと、
前記情報通信網に接続可能とされ、前記遊技場に設置される表示装置と、
を備え、
前記ウェブサーバは、
前記情報通信網を介して、前記遊技場に設置された遊技機の特賞情報を収集する収集部と、
前記遊技場に設置された遊技機のうち、指定された複数の遊技機からなる遊技機群を特定する特定部と、
前記収集部により収集された前記特賞情報と、前記特定部により特定された前記遊技機群とに基づいて、当該遊技機群における前記特賞回数の合計を算出する算出部と、
前記算出部により算出された前記特賞回数の合計表示を含む所定画像を表示するための表示用情報を生成する表示用情報生成部と、
を備え、
前記表示装置は、
前記情報通信網を介して前記ウェブサーバから前記表示用情報を取得する取得部と、
前記取得部により取得された前記表示用情報に基づいて、前記所定画像を表示画面に表示する表示部と、
を備えていることを特徴とする特賞回数表示システム。
【請求項２】
前記表示用情報生成部は、
前記所定画像が表示されるウェブページを生成するウェブページ生成部と、
前記表示用情報として前記ウェブページのＵＲＬ情報を生成するＵＲＬ情報生成部と、
を備え、
前記取得部は、前記ＵＲＬ情報生成部により生成された前記ＵＲＬ情報を取得し、
前記表示部は、前記ＵＲＬ情報に基づいて前記ウェブページを表示することを特徴とする請求項１に記載の特賞回数表示システム。
【請求項３】
ユーザが各種設定を行うための設定部を備え、当該設定部において、前記特定部により前記遊技機群を特定するための遊技機の指定が可能となっており、
前記設定部において遊技機が再指定された場合に、前記ＵＲＬ情報が変更されることなく、前記再指定された遊技機に対応する前記遊技機群が前記特定部により特定されるように構成されていることを特徴とする請求項２に記載の特賞回数表示システム。
【請求項４】
前記ウェブページ生成部は、前記ウェブページとして、前記表示装置を縦向きに配置した場合の第１ウェブページと、前記表示装置を横向きに配置した場合の第２ウェブページとをそれぞれ生成し、
前記ＵＲＬ情報生成部は、前記第１ウェブページ及び前記第２ウェブページのそれぞれについて前記ＵＲＬ情報を生成することを特徴とする請求項２又は３に記載の特賞回数表示システム。
【請求項５】
前記所定画像が、前記特賞回数の合計を表示する第１画像と、前記特賞回数の単位を表示する第２画像とを含み、
前記第２画像が、前記遊技機群を構成する複数の遊技機に共通する各遊技機の示唆となる文字を含むことを特徴とする請求項１乃至４のいずれかに記載の特賞回数表示システム。
【発明の詳細な説明】
【技術分野】
【０００１】
本発明は、特賞回数表示システムに関する。
【背景技術】
【０００２】
例えば、特許文献１には、遊技場において来店客が閲覧可能な状態で表示装置を設置し、当該表示装置において、大当たり回数等の特賞回数を表示する特賞回数表示システムが記載されている。
【０００３】
一般に遊技場においては、遊技場の各遊技機を管理するホールコンピュータ等の管理装置が設置され、各遊技機からは、大当たり等の特賞の発生を示す特賞情報が管理装置に出力されている。上記システムでは、表示装置と管理装置とが配線によって接続され、管理装置に集められた特賞情報に基づき、表示装置において各遊技機の特賞回数を表示するように構成されている。
【先行技術文献】
【特許文献】
【０００４】
【特許文献１】特許第５７２８６９６号公報
【発明の概要】
【発明が解決しようとする課題】
【０００５】
上記従来の特賞回数表示システムでは、特賞情報を遊技機単位で集計し、特賞回数を遊技機ごとに表示する構成とされている。このため、来店客が複数の遊技機を対象として特賞発生の全体傾向を把握したい場合に、１台ずつ特賞回数を確認する必要があり、利便性の面で改善の余地があった。
【０００６】
本発明は、上記事情に鑑みてなされたものであり、特賞回数の表示に関する利便性を向上させることが可能な特賞回数表示システムを提供することを目的とする。
【課題を解決するための手段】
【０００７】
上記課題を解決すべく、本発明は、遊技場に設置された遊技機の特賞回数を表示する特賞回数表示システムであって、情報通信網に接続されたウェブサーバと、前記情報通信網に接続可能とされ、前記遊技場に設置される表示装置と、を備え、前記ウェブサーバは、前記情報通信網を介して、前記遊技場に設置された遊技機の特賞情報を収集する収集部と、前記遊技場に設置された遊技機のうち、指定された複数の遊技機からなる遊技機群を特定する特定部と、前記収集部により収集された前記特賞情報と、前記特定部により特定された前記遊技機群とに基づいて、当該遊技機群における前記特賞回数の合計を算出する算出部と、前記算出部により算出された前記特賞回数の合計表示を含む所定画像を表示するための表示用情報を生成する表示用情報生成部と、を備え、前記表示装置は、前記情報通信網を介して前記ウェブサーバから前記表示用情報を取得する取得部と、前記取得部により取得された前記表示用情報に基づいて、前記所定画像を表示画面に表示する表示部と、を備えていることを特徴とする。
【発明の効果】
【０００８】
本発明によれば、特賞回数の表示に関する利便性を向上させることが可能になる。
【図面の簡単な説明】
【０００９】
【図１】本発明の一実施の形態に係る特賞回数表示システムの構成を示す概略図。
【図２】基本情報画面を示す図。
【図３】設定入力画面を示す図。
【図４】ウェブサーバにて実行される表示用処理を示すフローチャート。
【図５】表示用画像を示す図。
【図６】グループ情報及び表示用情報を示す図。
【図７】遊技場において遊技機の配置換えを行った場合の様子を示す図。
【発明を実施するための形態】
【００１０】
以下、本発明に係る特賞回数表示システムを具現化した一実施の形態について図面を参照しながら説明する。図１は、特賞回数表示システム１０の構成を示す概略図である。
【００１１】
本実施の形態に係る特賞回数表示システム１０は、インターネット等の情報通信網１１に接続されたウェブサーバ１２と、情報通信網１１に接続可能とされ、遊技場１３に設置される表示装置１４とを備えている。ここでは、それらの説明に先立ち、その前提となる遊技場１３の設備等について説明する。
【００１２】
遊技場１３には、列状に配列された複数の島設備１５ａ，１５ｂが設置されており、各島設備１５ａ，１５ｂには複数の取付台が設けられている。各取付台には、遊技場１３において固有の台番号が付されており、遊技機１６Ａ〜１６Ｆを１台ずつ取り付けることが可能となっている。
【００１３】
遊技機１６Ａ〜１６Ｆは、パチンコ機やスロットマシンであり、稼働に伴って各種の出力信号を出力するように構成されている。パチンコ機であれば、始動口への遊技球の入賞に応じて出力されるスタート信号や、遊技球の払い出しに応じて出力される払出信号、始動口への入賞に基づく抽選により大当たりとなった場合に出力される大当たり信号、大当たりとなる確率が通常時よりも高くなる高確率状態に移行した場合に出力される確変信号等を出力するように構成されている。
【００１４】
一方、スロットマシンの場合は、メダルの投入に応じて出力される投入信号や、メダルの払い出しに応じて出力される払出信号、ビッグボーナス（ＢＢ）が発生した場合に出力されるＢＢ信号、レギュラーボーナス（ＲＢ）が発生した場合に出力されるＲＢ信号、押し順アシスト状態（ＡＲＴ）に移行した場合に出力されるＡＲＴ信号等を出力するように構成されている。
【００１５】
ここで、パチンコ機における大当たりと、スロットマシンにおけるＢＢ、ＲＢ及びＡＲＴとは、特賞の一具体例である。なお、特賞は、これらに限定されるものではなく、通常の遊技状態よりも遊技者にとって有利となるものであれば足りる。また、特賞は、上記大当たり等の個々が特賞に該当するように単独のものであってもよいし、組み合わせからなるものであってもよい。
【００１６】
遊技場１３には、各遊技機１６Ａ〜１６Ｆを管理するホールコンピュータ等の管理装置１７が設置されている。管理装置１７は、各遊技機１６Ａ〜１６Ｆと配線によって電気的に接続されており、各遊技機１６Ａ〜１６Ｆからの出力信号を受信可能となっている。
【００１７】
管理装置１７では、各遊技機１６Ａ〜１６Ｆから出力される出力信号を収集し、台番号ごと（遊技機１６Ａ〜１６Ｆごと）に各種の遊技情報を算出する。具体的には、各遊技機１６Ａ〜１６Ｆのゲーム数、遊技媒体（遊技球やメダル）の払出数、遊技媒体の投入数、払出数から投入数を減算した差玉数及び特賞の発生回数等を算出する。管理装置１７は、上記算出した遊技情報に対して、どの遊技場のどの台番号に取り付けられた遊技機であるのかを示す識別情報を付加し、後段の転送装置１８に送信する。
【００１８】
転送装置１８は、情報通信網１１に接続されており、管理装置１７から受信した情報を情報通信網１１上のサイト用サーバ１９に向けて送信する。サイト用サーバ１９は、遊技場情報や遊技機情報の発信サイトを運営するための既存のウェブサーバである。図示を省略しているが、サイト用サーバ１９に対しては、情報通信網１１を通じて複数の遊技場の管理装置１７が接続されており、各遊技場の遊技情報がサイト用サーバ１９に集約される。サイト用サーバ１９に集約された遊技情報は、遊技場及び台番号と関連付けてデータベース１９ａに記憶される。
【００１９】
次に、ウェブサーバ１２及び表示装置１４について説明する。ウェブサーバ１２及び表示装置１４は、遊技場１３において特賞回数の表示サービスを提供するために設けられている。
【００２０】
ウェブサーバ１２は、ＣＰＵ、ＲＯＭ、ＲＡＭ等からなる周知のマイクロコンピュータを備えて構成されており、情報通信網１１を介してサイト用サーバ１９と接続されている。ウェブサーバ１２に対しては、遊技場の事前登録が可能となっているとともに、所定の設定操作により複数の台番号を指定することが可能となっている。ここで、上記設定操作は、設定部としての通信端末２０を用いて行われる。通信端末２０は、例えばスマートフォンやＰＣ等によって構成され、情報通信網１１に接続可能とされている。また、通信端末２０には、上記設定操作を行うための所定のアプリケーションがインストールされている。
【００２１】
ウェブサーバ１２では、登録された遊技場について台番号が指定されると、台番号に対応する遊技機のグループ（遊技機群）を特定する。そして、サイト用サーバ１９にアクセスし、特定したグループに属する各遊技機の特賞回数情報（特賞の発生回数を示す情報）を収集する。その後、収集した特賞回数情報に基づいて、グループにおける特賞回数の合計を算出し、さらに、算出した特賞合計数を表示するための表示用情報を生成する。これら特定したグループの情報、算出した特賞合計数の情報及び表示用情報は、データベース１２ａに記憶される。
【００２２】
表示装置１４は、長方形状の表示画面１４ａを有し、例えばスタンドを備えた自立型ディスプレイとして構成されている。表示装置１４は、通信機能を備えており、有線又は無線ＬＡＮによって情報通信網１１に接続可能となっている。表示装置１４では、情報通信網１１を介してウェブサーバ１２から表示用情報を受信し、これに対応した画像を表示画面１４ａに表示する。
【００２３】
さらに、表示装置１４は、ブラウザ機能を備えており、ウェブページの表示が可能に構成されている。なお、ブラウザ機能は、必ずしも表示装置１４に内蔵されている必要はなく、スティックＰＣ等のブラウザ機能を備えた小型コンピュータを外付けすることで担保されてもよい。また、表示装置１４には、加速度センサ等の姿勢検知センサ（不図示）が搭載されており、自身が縦置き状態であるか、横置き状態であるかを検知することが可能となっている。
【００２４】
次に、特賞回数表示システム１０による特賞回数の表示方法について説明する。以下の説明では、所定の登録手続により、遊技場１３が特賞回数の表示サービスを受ける店舗として登録済みであるとする。
【００２５】
先ず、通信端末２０を用いた設定操作について図２及び図３を参照して説明する。図２は基本情報画面２１を示す図、図３は設定入力画面２５を示す図である。ここでは、通信端末２０にタッチパネル機能が搭載されており、表示画面２０ａへのタッチにより入力操作が可能であるとして説明を進める。
【００２６】
遊技場１３の関係者等により、通信端末２０にインストールされた所定のアプリケーションが起動されると、所定のログインページが表示画面２０ａに表示される。ログインページは、ウェブサーバ１２が提供する所定のウェブサイトに接続するためのものである。ログインページにおいてログイン操作が適切に行われると、通信端末２０は、上記ウェブサイトに接続し、図２に示す基本情報画面２１を表示画面２０ａに表示する。
【００２７】
基本情報画面２１には、アカウント情報欄２２と、合計表示の設定情報欄２３とが設けられている。アカウント情報欄２２は、ユーザ情報（遊技場１３の情報）を示すものである。アカウント情報欄２２には、例えば、店舗ＩＤ、店舗ディレクトリ、管理者アカウント及び設置台情報等が表示される。店舗ＩＤは、遊技場１３に付された固有の識別情報であり、店舗ディレクトリは、遊技場１３に関する情報の保存先を示す情報である。また、管理者アカウントは、ログイン操作に用いるアカウント及びパスワードを示すものであり、設置台情報は、遊技場１３におけるパチンコ機及びスロットマシンの各設置台数を示す情報である。
【００２８】
一方、合計表示の設定情報欄２３は、特賞合計数の表示に関する設定内容を示すものである。特賞合計数の表示設定では、複数種類の表示態様を設定可能となっており、本実施の形態では、１店舗につき２０種類の表示態様を設定可能となっている。これに対応し、設定情報欄２３には、表示１から表示２０までの２０個の設定情報欄２３ａ〜２３ｔが設けられている。
【００２９】
各設定情報欄２３ａ〜２３ｔには、例えば、タイトル、台番号及び特賞種別等が表示される。タイトルは、設定情報欄２３ａ〜２３ｔにおいて設定される各表示態様を管理するための見出しである。台番号は、特賞回数の合計算出に際してその対象となる遊技機の台番号を示し、特賞種別は、合計算出の対象となる特賞の種別を示すものである。
【００３０】
各設定情報欄２３ａ〜２３ｔには、入力アイコン２４が設けられている。入力アイコン２４をタッチすると、図３に示す設定入力画面２５が表示される。この設定入力画面２５は、特賞合計数の表示に関する設定内容を入力するためのものである。なお、図３には、設定情報欄２３ａの入力アイコン２４をタッチした場合の画面を示している。
【００３１】
設定入力画面２５には各種設定入力欄２６〜３５が設けられている。表示設定欄２６は、表示の有無を設定する欄であり、タイトル欄２７は、上記各設定情報欄２３ａ〜２３ｔのタイトルを入力する欄である。
【００３２】
台番号欄２８は、特賞合計数の算出対象となる遊技機を指定する欄であり、台番号の入力により指定操作を行うことができる。特賞種別欄２９は、特賞合計数の算出対象となる特賞種別を指定する欄であり、本実施の形態では、ＢＢ、ＲＢ、ＡＲＴ及び大当たりの４種類から選択可能となっている。
【００３３】
表示用ＵＲＬ欄３０，３１は、合計数表示の画面として生成されたウェブページのＵＲＬを示す欄である。各欄３０，３１のＵＲＬは、ウェブサーバ１２によって発行される。表示用ＵＲＬ欄３０のＵＲＬは、表示装置１４を縦置きした場合のＵＲＬを示し、表示用ＵＲＬ欄３１のＵＲＬは、横置きした場合のＵＲＬを示している。なお、ウェブページ及びそのＵＲＬの発行については後述する。動画埋め込み欄３２は、合計数表示の画面において動画を表示したい場合に、その動画のＵＲＬを入力する欄である。
【００３４】
縦置き用背景欄３３は、表示装置１４を縦置きして特賞合計数を表示する場合の背景画像を指定する欄である。表示画面２０ａにおいてファイル選択アイコン３３ａをタッチすることで、ウェブサーバ１２に記憶された複数の背景画像の中から１つを選択可能となっている。また、所望の画像をアップロードすることで、背景画像の選択対象とすることもできる。縦置き用背景欄３３には、選択した背景画像のサムネイル３３ｂが表示され、選択背景を確認可能となっている。横置き用背景欄３４は、表示装置１４を横置きして特賞合計数を表示する場合の背景画像を指定する欄である。
【００３５】
フォント指定欄３５は、特賞合計数を表示する場合の数字や文字のフォントを指定する欄である。フォント指定欄３５をタッチすることで、ウェブサーバ１２に記憶された複数のフォントの中から１つを選択可能となっている。また、所望のフォントをアップロードすることで、選択対象とすることもできる。フォントの指定に際しては、数字や文字の表示色を指定することも可能となっている。
【００３６】
上記設定操作において、少なくとも台番号、特賞種別、背景画像及びフォントの指定が行われることで、特賞合計数を表示するための設定が完了する。これらの設定情報は、ウェブサーバ１２のデータベース１２ａに記憶される。
【００３７】
次に、ウェブサーバ１２にて実行される特賞合計数の表示用処理について図４のフローチャートを参照しつつ説明する。
【００３８】
図４において、ステップＳ１０１では、通信端末２０を用いた上記設定操作がなされたか否かを判定する。設定操作がなされた場合は、ステップＳ１０２〜Ｓ１０８の処理を実行する。これらの処理は上記設定操作の実行に合わせて行われる。
【００３９】
ステップＳ１０２では、表示１〜表示２０のうちのどれが入力対象となっているかに基づいてグループ番号を特定するとともに、図３の設定入力画面２５にて指定された台番号に基づき、特賞合計数の算出対象となる遊技機のグループを特定する。例えば、表示１が入力対象となっている場合は、グループ番号として１を特定するとともに、台番号として７３０〜７５０が指定されている場合は、それらの台番号に対応する遊技機を１つのグループとして特定する。なお、台番号が７３０〜７５０である遊技機は、いずれもスロットマシンであり、その機種名は「モグラー」であるとする。
【００４０】
続くステップＳ１０３では、指定された特賞種別に基づいて、特賞合計数の算出対象となる特賞種別を特定する。例えば、特賞種別としてＢＢ及びＲＢが指定されている場合は、それらの特賞を対象の種別として特定する。その後、ステップＳ１０４において、指定された背景画像及びフォントに基づいて、表示する背景画像及び数字画像等のフォントを特定する。
【００４１】
次いで、ステップＳ１０５にて、今回の設定操作が特定済みのグループ（台番号の指定）、特賞の種別、背景画像及びフォントの少なくとも１つを変更するものであるか否かを判定する。すなわち、各種設定が実行済みのグループ番号（表示態様）に対する入力操作であるか否かを判定する。グループ等の変更でない場合は、ステップＳ１０６に進み、ＵＲＬを発行する。
【００４２】
本ステップで発行するＵＲＬは、後述するステップＳ１０７にて生成するウェブページのＵＲＬであり、表示サービスを提供する事業者が予め確保したＵＲＬ群の中から遊技場１３用に割り当てるものである。このＵＲＬは、グループ番号ごとに、縦置き用及び横置き用の２つが発行される。さらに、ステップＳ１０６では、発行した各ＵＲＬを表示装置１４に送信する。これら送信された各ＵＲＬは、表示設定情報として表示装置１４のメモリ１４ｂに記憶される。
【００４３】
続くステップＳ１０７では、ステップＳ１０６で発行したＵＲＬのウェブページを生成する。本ステップでは、縦置き用のウェブページ及び横置き用のウェブページをそれぞれ生成する。なお、この時点では、特賞合計数の算出等が行われていないため、これらのウェブページには、指定された背景画像のみが表示されるものとなる。
【００４４】
一方、今回の設定操作が、例えば、台番号の追加や変更を行うものなど、グループ等の変更である場合は、上記ステップＳ１０６及びＳ１０７の処理をスキップする。すなわち、グループ等の変更である場合は、新たなＵＲＬの発行を行わず、既に発行したＵＲＬを引き続き利用する。
【００４５】
ステップＳ１０７の実行後、又は、ステップＳ１０５で肯定判定した場合は、ステップＳ１０８にて、グループ情報をデータベース１２ａに記憶する。このグループ情報は、特定したグループと、特定した特賞種別と、特定した背景画像及びフォントと、発行したＵＲＬとが、グループ番号と関連付けて記憶されるものとなっている。グループ情報は、遊技場１３用に設定された記憶領域に記憶され、遊技場１３に関するものとして管理される。また、グループ情報は、各設定情報欄２３ａ〜２３ｔに対応しており、最大で２０個まで記憶することが可能となっている。なお、今回の設定操作がグループ等の変更である場合は、記憶されているグループ情報を更新する。
【００４６】
ステップＳ１０８の実行後、又はステップＳ１０１で否定判定した場合は、ステップＳ１０９にて、特賞回数情報の更新タイミングであるか否かを判定する。特賞回数情報は、各遊技機において発生した特賞の回数を示す情報である。ウェブサーバ１２では、特賞回数情報を定期的（例えば３０ｓｅｃごと）に更新しており、ステップＳ１０９では、その更新タイミングが到来したか否かを判定する。
【００４７】
更新タイミングでない場合は、本表示用処理を終了する一方、更新タイミングである場合は、ステップＳ１１０にて、データベース１２ａにグループ情報が記憶されているか否かを判定する。グループ情報が記憶されている場合は、ステップＳ１１１にて、サイト用サーバ１９に対して特賞回数情報の送信を要請し、特賞回数情報を収集する。
【００４８】
本ステップでの特賞回数情報の送信要請は、上記ステップＳ１０８で記憶したグループ情報に基づいて実行する。すなわち、上記ステップＳ１０２で特定したグループに属する各遊技機（各台番号）について、上記ステップＳ１０３で特定した特賞種別の発生回数の情報を送信するように、サイト用サーバ１９に要請する。サイト用サーバ１９では、ウェブサーバ１２からの要請に応じてデータベース１９ａから特賞回数情報を読み出し、ウェブサーバ１２に送信する。
【００４９】
続くステップＳ１１２では、収集した特賞回数情報に基づいて各遊技機の特賞回数を合算し、特賞合計数を算出する。本実施の形態では、合計数の対象期間を遊技場１３の１営業日としている。このため、本ステップで算出される合計数は、営業開始時刻から通算した特賞回数の合計となる。
【００５０】
次いで、ステップＳ１１３にて、表示装置１４に表示する画像の画像データを生成する。ここで、画像データの生成方法について図５を参照して説明する。なお、図５では、縦置き用の画像データを示している。
【００５１】
画像データの生成にあたっては、先ず、図５（ａ）に示すように、特賞回数の合計数が表示された合計数画像４１を生成する。合計数画像４１には、第１画像としての合計数表示４２が設けられている。合計数表示４２は、上記ステップＳ１１２で算出した特賞回数の合計数を、指定されたフォント及び表示色で描画することで生成される。また、合計数画像４１には更新日時表示４３が設けられている。この更新日時表示４３は、特賞回数の更新日時（ステップＳ１１１の実行タイミング）を示すものである。更新日時表示４３のフォントは、合計数表示４２と同一であってよいし、異なるものであってもよい。
【００５２】
そして、これらの各表示４２，４３が所定の透明度（例えば１００％）に設定された下地画像４４上に配置されることで、合計数画像４１が生成される。各表示４２，４３の大きさや配置位置は任意であるが、例えば、合計数表示４２を下地画像４４の略中央部に大きく表示して目立つようにし、更新日時表示４３を左上隅部に小さく表示することができる。なお、下地画像４４の縦横比は、表示装置１４の表示解像度に対応しており、例えば、フルＨＤ（１９２０×１０８０）の高解像度表示を前提とする場合は１６：９の縦横比に設定される。
【００５３】
合計数画像４１を生成した後は、図５（ｂ）に示すように、ウェブサーバ１２に記憶されている背景用の画像データの中から、指定された背景に対応する背景画像４５を読み出す。ここで、背景画像４５には、第２画像としての単位表示４９が設けられている。この単位表示４９は、特賞回数の単位を表示するものであり、グループを構成する遊技機の機種を示唆する文字を含んで構成されている。
【００５４】
本実施の形態では、「モグラー」という機種名のスロットマシンにおいて「モグ」という文字装飾が付されたランプが設けられており、このランプがＢＢ又はＲＢの成立時に点灯するという想定がなされている。つまり、遊技者にとって「モグ」の文字は、「モグラー」を示唆する表示として機能とする。このような文字の実具体例としては、株式会社北電子製のジャグラーシリーズについてペカや、株式会社三洋物産製の海シリーズ（登録商標）についてＬＵＣＫＹ等が考えられる。なお、背景画像４５の縦横比は、合計数画像４１のそれと同一になっている。
【００５５】
そして、図５（ｃ）に示すように、合計数画像４１と背景画像４５とを合成して表示用画像４６を生成する。この表示用画像４６が表示装置１４に表示される画像となる。設定操作において動画埋め込みが指定されている場合は、図５（ｄ）に示すように、動画用の表示領域４７が設けられた表示用画像４８を生成する。
【００５６】
なお、表示用画像４６，４８において更新日時表示４３は、ウェブサーバ１２における特賞回数情報の更新日時を示すが、サイト用サーバ１９の更新日時（サイト用サーバ１９が管理装置１７から遊技情報を所得した日時）を示してもよいし、表示用画像４６，４８の生成日時（更新日時）や、後述するステップＳ１１１のウェブページの更新日時を示してもよい。
【００５７】
表示用画像と同様の手法にて、横置き用の表示用画像４６，４８も生成する。横置き用の表示用画像４６，４８は、横長長方形状の画像データとなる。設定情報欄２３ａ〜２３ｔ（図３参照）において複数の表示態様が設定されている場合は、それら各態様に対応する複数の表示用画像４６，４８を生成する。これらの表示用画像４６，４８についても縦置き用及び横置き用の画像データをそれぞれ生成する。
【００５８】
図４に戻り、ステップＳ１１３の処理を実行した後は、ステップＳ１１４にてウェブページを更新し、その後、本表示用処理を終了する。ステップＳ１１４では、上記ステップＳ１０７で生成したウェブページに対して、表示用画像４６，４８やそのリンクを貼り付けるなどし、当該ウェブページにおいて、表示用画像４６，４８が表示されるようにする。これにより、ステップＳ１１２で算出した特賞回数の合計がウェブページに反映される。また、本ステップが実行されることで、特賞合計数が変化した場合や、グループや背景画像等が変更された場合も、その内容がウェブページに反映される。
【００５９】
ここで、グループ情報及び表示用情報の一例を図６に示す。図６（ａ）に示すように、ウェブサーバ１２に記憶されるグループ情報では、設定操作により指定された各種設定情報（台番号、特賞種別、背景画像及びフォント等の情報）とともに、特賞合計数、表示用画像４６，４８の保存先及びＵＲＬを示す情報がグループごとに記憶される。一方、図６（ｂ）に示すように、表示装置１４に記憶される表示設定情報では、表示の有無及びＵＲＬを示す情報が表示態様ごとに記憶される。
【００６０】
次に、表示装置１４にて実行される特賞合計数の表示処理について説明する。
【００６１】
表示装置１４では、インストールされたアプリケーションが実行されることで、表示処理を実行する。表示処理では、メモリ１４ｂに記憶された表示設定情報（図６（ｂ）参照）に基づいて、各表示態様の表示の有無を判定する。その後、表示有りと判定した態様について、表示設定情報に基づきＵＲＬを指定する。その際、自身が縦置き状態である場合は縦置き用のＵＲＬを指定し、横置き状態である場合は横置き用のＵＲＬを指定する。
【００６２】
ＵＲＬの指定により、当該ＵＲＬに対応するウェブページのデータをウェブサーバ１２から受信し、表示画面１４ａにウェブページを表示する。このようにして表示されるウェブページには表示用画像４６，４８（図５参照）が表示され、その結果として特賞合計数が表示画面１４ａに表示される。
【００６３】
複数の表示態様について表示有りと判定した場合は、それらの表示態様と関連付けて記憶されている複数のＵＲＬを順次に指定する。そして、各ＵＲＬについてウェブページのデータを受信し、それらを一時保存する。このようにしてデータが一時保存されたウェブページは、スライド表示等の自動切替により順次表示されたり、フリック操作等の手動操作により切替表示されたりする。
【００６４】
なお、表示装置１４における表示処理（ＵＲＬの指定）は、所定時間ごとに実行される。これにより、表示画面１４ａの表示内容が定期的に更新される。表示処理の実行周期は、ウェブサーバ１２における特賞回数情報の更新周期と同一であってもよいし、それよりも長いものであってもよい。
【００６５】
上記のように、特賞合計数を示す画像が表示されるウェブページを生成し、そのＵＲＬを発行する構成としたため、ブラウザ機能を備える他の通信端末においても同一の画像を表示可能となる。このため、遊技場１３の関係者や、表示サービスを提供する事業者が、表示装置１４の下まで出向かなくても、その表示内容を確認することが可能になる。
【００６６】
また、来店客においても、自身が所有するスマートフォン等の通信端末に表示用の一般向けアプリケーションをインストールすることで、当該端末の表示画面に上記画像を表示可能となる。これにより、遊技者が特賞合計数を来店前に見たり、遊技場１３において遊技中に見たりすることが可能になる。なお、一般向けアプリケーションでは、台番号や特賞種別の指定など、表示態様に関する設定機能を省略することが好ましい。
【００６７】
以上、詳述した本実施の形態によれば、以下の優れた効果を奏する。
【００６８】
・ウェブサーバ１２において、複数の遊技機からなるグループを対象として特賞回数の合計を算出し、算出した合計回数を表示装置１４の表示画面１４ａに表示する構成とした。これにより、来店客が１台ずつ特賞回数を確認しなくても、複数の遊技機を対象とした特賞発生の全体傾向を簡単に把握することができる。特に、特賞発生の全体傾向は、遊技者が店選びする際の有益な情報となるため、表示装置１４を遊技場１３の入口や通路等の来店客の目に付き易い場所に設置し、デジタルサイネージ（電子広告）として表示することで、宣伝効果を高めることが可能になる。
【００６９】
なお、特賞合計数を表示するシステムとして、ウェブサーバ１２を介さず、表示装置１４と管理装置１７（図１参照）とを直接接続する構成も考えられる。しかしながら、その場合、管理装置１７から特賞回数情報を収集し、且つそれらの情報をグループ用に加工する機能を、表示装置１４が備える必要が生じる。特に、複数の表示装置１４を設置する場合は、上記機能を個々の表示装置１４に搭載する必要があり、導入コストの増大を招くおそれがある。この点、本実施の形態では、ウェブサーバ１２に上記機能を集約しているため、表示装置１４が当該機能を備える必要がなく、複数の表示装置１４を設置する場合に有利となる。
【００７０】
また、ウェブサーバ１２においてグループの特定を行う構成とすることで、遊技場１３以外の遊技場に設置された遊技機も対象に含めた表示を行うこともできる。すなわち、ウェブサーバ１２には他の遊技場の特賞回数情報も集まるため、それらの情報を活用した表示を行うことができる。例えば、チェーン加入している店舗同士での画像共有が可能になり、複数のチェーン店を対象としたイベントを行う場合等に有利となる。この場合、合計算出の対象を指定する機能として、遊技場の指定機能をさらに盛り込むとよい。
【００７１】
・ウェブサーバ１２において、表示用画像４６，４８が表示されるウェブページを生成し、そのＵＲＬを発行する構成とした。この場合、ブラウザ機能を備えた機器であれば、ＵＲＬを指定することで当該ウェブページの表示が可能となる。このため、表示装置１４以外の通信端末において、表示装置１４に表示される画像と同一の画像を表示できる。これにより、表示装置１４を視認できなくても特賞合計数の表示を見ることができ、遊技場１３の関係者や遊技者等にとって利便性が高まる。
【００７２】
・ウェブサーバ１２においてグループを特定するための台番号が変更された場合に、ウェブページのＵＲＬを変更することなく、グループ情報の更新を行う構成とした。これにより、遊技場１３での遊技機の配置換えに対して柔軟に対応することが可能になる。
【００７３】
例えば、図７（ｃ）に示すように、特賞合計数の表示対象とする各遊技機（同図において○印を付した遊技機）を配線５１によって表示装置１４Ａ，１４Ｂと直接接続し、各表示装置１４Ａ，１４Ｂにおいて合計算出する構成では、配線の接続換えによって遊技機の配置換えに対応する必要が生じる。このため、図７（ｄ）に示すように、それらの遊技機の一部を他の島設備５２ａ，５２ｂに移動させると、島設備５２ａ，５２ｂの配線５３ａ，５３ｂを表示装置１４Ａに接続するための配線工事が必要になる。さらには、同様の工事が表示装置１４Ｂに対しても必要となるばかりか、表示装置１４Ａ，１４Ｂの配置換えに伴う配線５４ａ，５４ｂの調整も要する。
【００７４】
これに対し、本実施の形態では、図７（ａ）に示す遊技機の配置から図７（ｂ）に示す配置に変更しても、変更後の配置に合わせて台番号を指定し直すだけで対応することができる。しかも、従前のＵＲＬが固定化された状態で、グループを構成する遊技機（台番号）だけが変更されるため、既に設定した背景画像やフォント等の付帯情報をそのまま引き継ぐことができる。つまり、それらの付帯情報を指定し直す必要がない。このため、合計表示の対象となっていた複数の遊技機が配置換えされても、それらを対象とした合計表示を簡単に継続することができる。
【００７５】
・ウェブサーバ１２において、縦置き用のウェブページと、横置き用のウェブページとを生成し、それらのＵＲＬを各別に発行する構成とした。例えば、縦置き用のみのウェブページを生成する構成では、それを横置きの表示装置１４に表示すると、表示画像の縦寸法及び横寸法が伸縮され、見栄えの悪化を招くおそれがある。このような問題は、縦置き及び横置きの区別なく、一のウェブページを生成する場合にも同様に生じ得る。この点、本実施の形態によれば、縦置き用及び横置き用の各ウェブページを個別に生成するため、表示装置１４の向きにかかわらず、表示用画像４６の適正表示が可能になる。
【００７６】
また、表示装置１４に姿勢検知センサを備え、表示装置１４が自身の姿勢に合致する側のＵＲＬを自動指定する構成としたため、入力操作の煩わしさを解消できると同時に、入力ミスに基づく誤表示を抑制することが可能になる。
【００７７】
表示用画像４６，４８において単位表示４９を設け、当該単位表示４９がグループを構成する遊技機を示唆する構成とした。この場合、特賞合計表示がどの遊技機に関するものであるかを来店客に分かり易く伝えることができる。また、「○○回」等の普通表示ではなく、上記のようなアクセントを加えることで、合計数表示を演出することができる。これにより、来店客の関心を惹き易くなり、宣伝効果を高めることが可能になる。
【００７８】
＜その他の実施の形態＞
（１）上記実施の形態では、サイト用サーバ１９に蓄積された遊技情報のうち、特定したグループの特賞回数情報をウェブサーバ１２が収集する構成としたが、サイト用サーバ１９に蓄積された遊技情報をそのままウェブサーバ１２に転送し、転送された情報の中からウェブサーバ１２がグループの特賞回数情報を抽出する構成としてもよい。但し、サイト用サーバ１９と同程度の記憶容量がウェブサーバ１２に必要となる点などを考慮すると、上記実施の形態の構成とすることが好ましい。
【００７９】
（２）上記実施の形態では、ユーザが背景画像４５の指定を変更しない限り背景画像４５が変化しない構成としたが、特賞合計数に応じて背景画像４５が変化する構成としてもよい。具体的には、特賞合計数が所定回数以上となった場合に、背景画像４５が発展的に変化する構成としてもよい。このような構成とすることで、特賞が数多く発生している印象や賑わっている印象を与えやすくなり、宣伝効果を高めることが可能になる。
【００８０】
上記の場合、設定操作において、特賞合計数が所定回数未満である場合用の通常背景画像と、所定回数以上である場合用の発展背景画像とを設定可能な構成とし、ウェブサーバ１２において、算出した特賞回数の合計数が所定回数以上であるか否かを判定し、その結果に基づいて背景画像を切り替える構成とするとよい。その際、背景画像の全体が変化する構成に限らず、単位表示４９が変化する構成としてもよい。例えば、株式会社三洋物産製の海シリーズ（登録商標）であれば、単位表示４９がＬＵＣＫＹからＳＵＰＥＲ  ＬＵＣＫＹに変化する構成とするとよい。
【００８１】
（３）上記実施の形態では、合計数表示４２の表示サイズを固定化する構成としたが、特賞合計数に応じて表示サイズが変化する構成としてもよい。具体的には、特賞合計数が所定回数以上となった場合に、所定回数未満である場合よりも表示サイズが大きくなる構成としてもよい。この場合、ウェブサーバ１２において、算出した特賞回数の合計数が所定回数以上であるか否かを判定し、その結果に基づいて合計数表示４２の表示サイズが大きくなるように表示用画像４６，４８又はウェブページを生成する構成とするとよい。このような構成とすることで、特賞合計数が多くなることに伴い、合計数表示４２を強調することができる。
【００８２】
なお、表示サイズに限らず、フォントや表示色が変化する構成としてもよい。この場合、設定操作において、特賞合計数が所定回数未満である場合用の通常フォント等と、所定回数以上である場合用の発展フォント等とを設定可能な構成とし、ウェブサーバ１２において、算出した特賞回数の合計数に基づき、それらを切り替える構成とするとよい。
【００８３】
（４）上記実施の形態では、特賞合計数を常時表示する構成としたが、特賞合計数に応じて特賞合計数の表示有無が変化する構成としてもよい。具体的には、特賞合計数が所定回数未満の場合に特賞合計数を非表示とし、特賞合計数が所定回数以上の場合に特賞合計数を表示する構成とするとよい。この場合、設定操作において、上記所定回数を設定可能な構成としておき、ウェブサーバ１２において、算出した特賞回数の合計数に応じて特賞合計数の表示有無を切り替える構成とするとよい。このような構成とすることで、特賞合計数が少ないことによる宣伝上の逆効果を抑制できる。
【００８４】
（５）上記実施の形態では、表示装置１４が姿勢検知センサを備え、縦置き用及び横置き用の各ＵＲＬを自動指定する構成としたが、かかる機能を備えず、ユーザがＵＲＬを指定する構成としてもよい。
【００８５】
（６）上記実施の形態において、合計算出の対象期間をユーザ（遊技場の関係者等）が設定可能な構成としてもよい。この場合、期間の始点として遊技場１３への遊技機の導入開始日や時間（導入日の営業開始時刻）を指定可能とするとよい。これにより、導入時から現時点までの特賞合計数を表示可能となる。
【００８６】
（７）上記実施の形態では、背景画像をユーザが指定可能な構成とするが、指定できない構成としてもよい。また、背景画像を表示しない構成としてもよい。
【００８７】
（８）上記実施の形態では、通信端末２０によって設定操作を行う構成としたが、表示装置１４が、タッチパネル機能等の入力機能と、その入力内容に基づいて、特賞合計数の表示に関する各種設定（台番号の指定等）を行うための設定機能と、を備え、表示装置１４を用いて設定操作できる構成としてもよい。また、管理装置１７が上記設定機能を備え、管理装置１７を用いて設定操作できる構成としてもよい。
【符号の説明】
【００８８】
１０…特賞回数表示システム、１１…情報通信網、１２…ウェブサーバ、１３…遊技場、１４…表示装置、１４ａ…表示画面、１６Ａ〜１６Ｆ…遊技機、２０…通信端末（設定部）、４１…合計数表示（第１画像）、４６…表示用画像（所定画像）、４８…単位表示（第２画像）。
【図１】
2018175171.tif 000003
【図２】
2018175171.tif 000004
【図３】
2018175171.tif 000005
【図４】
2018175171.tif 000006
【図５】
2018175171.tif 000007
【図６】
2018175171.tif 000008
【図７】
2018175171.tif 000009